(57)【特許請求の範囲】
【請求項１】
上顎模型が前側に固定され、前方に窪んだ上側凹部が後側に設けられた上顎支持部と、
下顎模型が前側に固定され、前方に窪んだ下側凹部が、後側における前記上側凹部の下側に設けられ、左右に延びる軸線を中心として、前記上顎支持部に対して揺動可能に連結された下顎支持部と、
前記上側凹部の後ろ側及び前記下側凹部の後側に着脱可能な支持軸体固定部材と、を備え、
前記上側凹部及び前記下側凹部と前記支持軸体固定部材との間に支持軸体を挟んだ状態で、前記支持軸体の所定位置に取り付け可能な咬合器であって、
前記上側凹部の内面における互いに対向する左右の部分に、上下に延び且つ上端が貫通せず下端が貫通した上溝がそれぞれ形成され、
前記下側凹部の内面における互いに対向する左右の部分に、上下に延び且つ上端及び下端が貫通し、前記下顎支持部が前記上顎支持部に対して所定角度の場合に、前記上溝と同一直線上に並ぶ下溝がそれぞれ形成され、
前記支持軸体固定部材は、
本体部と、
前記本体部の左右のそれぞれに設けられた、幅広部と前記幅広部から連続して延びる幅狭部と、備え、
前記支持軸体固定部材を、前記幅広部が上の状態で、前記下顎支持部の前記下溝の側から、前記上顎支持部の前記上溝に向って挿入し、前記幅広部の上端を前記上溝の上端に当接させたときに、前記幅広部は前記上溝と係合し且つ前記下溝と非係合であり、前記支持軸体に取り付けた状態で、前記下顎支持部は前方に回動可能となる、
咬合器。
【請求項２】
前記支持軸体固定部材を、前記幅狭部が上の状態で、前記下顎支持部の前記下溝の側から、前記上顎支持部の前記上溝に向って挿入し、前記幅狭部の上端を前記上溝の上端に当接させたときに、前記幅広部は前記上溝及び前記下溝と係合し、前記支持軸体に取り付けた状態で、前記下顎支持部は前方に回動不能となる、
請求項１に記載の咬合器。
【請求項３】
前記下溝の内面は、前面と、後面と、側面とを備え、
前記上溝と前記下溝とが一直線上に略並んだときの前記上溝と前記下溝との間の隙間の長さをＴＬ、前記上溝の長さをＵＬ、前記下溝の長さをＤＬ、前記幅広部の長さをＬＬ、前記幅狭部の長さをＳＬ、としたときに、
ＬＬ＜ＵＬ＋ＴＬ＜ＳＬ+ＬＬ、かつ、ＳＬ＜ＵＬ＋ＴＬ＋ＤＬ
の関係を満たし、
左右に設けられた前記幅狭部の外縁間距離をＳＷ、左右に設けられた前記下溝の後面の内縁間距離をＤＷＩ、左右に設けられた前記幅広部の外縁間距離をＬＷ、左右に設けられた前記下溝の側面間の距離をＤＷＯとしたときに、
ＳＷ＜ＤＷＩ＜ＬＷ＜ＤＷＯ
の関係を満たし、
左右に設けられた前記上溝の後面の内縁間距離をＵＷＩ、左右に設けられた前記上溝の側面間の距離をＵＷＯとしたときに、
ＵＷＩ＜ＳＷ＜ＬＷ＜ＵＷＯ
の関係を満たす、
請求項１又は２に記載の咬合器。
【請求項４】
前記上顎支持部は、
前記上顎模型に固定される上顎固定部と、
前記上顎固定部の左右の両端から後方に延びる一対の上顎後方延出部と、
前記一対の上顎後方延出部の後端を連結する上連結部と、
前記上連結部の左右の両端のそれぞれに設けられた顆頭部と、
前記下顎支持部は、
前記下顎模型に固定される下顎固定部と、
前記下顎固定部から後方に延びる一対の下顎後方延出部と、
前記一対の下顎後方延出部の後端を連結する下連結部と、
前記下連結部の左右の両端のそれぞれに設けられ、前記顆頭部を、前記軸線を中心として回転可能に支持する顆路部と、
を備え、
前記上連結部に、前記上側凹部が設けられ、
前記下連結部に、前記下側凹部が設けられている
請求項１から３のいずれか１項に記載の咬合器。
【請求項５】
前記上顎支持部は、
前記軸線の径方向外側に突出した第１係合部及び第２係合部、を備え、
前記下顎支持部は、
前記下顎後方延出部に設けられ、
前記上顎支持部と前記下顎支持部との間の角度が第１角度である第１状態では、前記１係合部と第２係合部の前方に位置し、
前記上顎支持部と前記下顎支持部との間の角度が前記第１角度より大きな第２角度である第２状態では、前記１係合部と第２係合部の間に位置し、
前記上顎支持部と前記下顎支持部との間の角度が前記第２角度より大きな第３角度である第３の状態では、前記１係合部と第２係合部の後方に位置する係合受部と、
を備える請求項４に記載の咬合器。
【請求項６】
前記上顎支持部に設けられた、下向面を有するストッパ部と、
前記下顎支持部に設けられ、前記第１状態で前記下向面と当接する上向面を有するストッパ受部と、
を備える請求項５に記載の咬合器。
【請求項７】
前記顆路部は、前記下顎後方延出部の後側から後側に延びる上壁部と下壁部とを有し且つ断面Ｕ字型で、
前記顆頭部は、前記顆路部の前記上壁部と前記下壁部との間の前側に回転可能に保持され、
前記上壁部と前記下壁部との間の距離は前側から後側に行くに従い狭くなり、
前記顆頭部は、前記第１係合部又は前記第２係合部が前記係合受部を乗り越える際に、前記上壁部と前記下壁部とを弾性変形させて、前記上壁部と前記下壁部との間を前記前側から前記後側に移動する、
請求項５または６に記載の咬合器。
【請求項８】
前記第２係合部の先端の、前記軸線からの径方向の距離は、
前記第１係合部の先端の、前記軸線からの径方向の距離よりも大きい、
請求項５から７のいずれか１項に記載の咬合器。
【請求項９】
前記顆頭部は、前記上顎後方延出部の後側から、左右方向に突出している、
請求項４から８のいずれか１項に記載の咬合器。
【請求項１０】
前記上顎固定部における、前記上顎模型に設けられたボルト穴にボルトを挿入するための第１模型取付用穴、又は、
前記下顎固定部における、前記下顎模型に設けられたボルト穴にボルトを挿入するための第２模型取付用穴の少なくとも一方はＵ字型である、
請求項４から９のいずれか１項に記載の咬合器。
【請求項１１】
前記上顎支持部及び前記下顎支持部は、それぞれ、一体成形された樹脂製部材である、
請求項１から１０のいずれか１項に記載の咬合器。
【発明の詳細な説明】
【技術分野】
【０００１】
本発明は、咬合器に関する。
【背景技術】
【０００２】
従来、歯科分野においては、義歯や歯科補綴物を製作する場合等に、人体の顎運動を再現する咬合器が用いられている。この咬合器は、上顎模型が固定される上顎支持部と、下顎模型が固定される下顎支持部と、これら上顎支持部と下顎支持部とを回動可能に連結する関節部と、を備える。このような咬合器において、支持軸体への保持機構が設けられている場合がある（特許文献１参照）。この従来技術の咬合器は、咬合器の後部に設けられた貫通孔に支持軸体を貫通させて、ねじで固定することにより、支持軸体に固定される。
【先行技術文献】
【特許文献】
【０００３】
【特許文献１】特開２０１２−１９２１６６号公報
【発明の概要】
【発明が解決しようとする課題】
【０００４】
支持軸体は、下端が固定台に立設され、上端にはヘッド部が取り付けられている場合がある。このような場合、上記従来技術の咬合器は、支持軸体を固定台から取り外すか、ヘッド部を外すことにより、支持軸体の一方を、なにも取り付けられていない状態にしないと、支持軸体への咬合器の着脱ができない。したがって、咬合器の支持軸体に対する着脱が容易ではない。【０００５】
本発明は、支持軸体の端部以外の箇所において支持軸体への着脱可能な咬合器を提供することを目的とする。
【課題を解決するための手段】
【０００６】
本発明は、上記目的を達成するために、上顎模型が前側に固定され、前方に窪んだ上側凹部が後側に設けられた上顎支持部と、下顎模型が前側に固定され、前方に窪んだ下側凹部が、後側における前記上側凹部の下側に設けられ、左右に延びる軸線を中心として、前記上顎支持部に対して揺動可能に連結された下顎支持部と、前記上側凹部と前記下側凹部との後側に着脱可能な支持軸体固定部材と、を備え、前記上側凹部及び前記下側凹部と前記支持軸体固定部材との間に支持軸体を挟んだ状態で、前記支持軸体の所定位置に取り付け可能な咬合器であって、前記上側凹部の内面における互いに対向する左右の部分に、上下に延び且つ上端が貫通せず下端が貫通した上溝がそれぞれ形成され、前記下側凹部の内面における互いに対向する左右の部分に、上下に延び且つ上端及び下端が貫通し、前記下顎支持部が前記上顎支持部に対して所定角度の場合に、前記上溝と同一直線上に並ぶ下溝がそれぞれ形成され、前記支持軸体固定部材は、本体部と、前記本体部の左右のそれぞれに設けられた、幅広部と前記幅広部から連続して延びる幅狭部と、備え、前記支持軸体固定部材を、前記幅広部が上の状態で、前記下顎支持部の前記下溝の側から、前記上顎支持部の前記上溝に向って挿入し、前記幅広部の上端を前記上溝の上端に当接させたときに、前記幅広部は前記上溝と係合し且つ前記下溝と非係合であり、前記支持軸体に取り付けた状態で、前記下顎支持部は前方に回動可能となる、咬合器を提供する。【０００７】
前記支持軸体固定部材を、前記幅狭部が上の状態で、前記下顎支持部の前記下溝の側から、前記上顎支持部の前記上溝に向って挿入し、前記幅狭部の上端を前記上溝の上端に当接させたときに、前記幅広部は前記上溝及び前記下溝と係合し、前記支持軸体に取り付けた状態で、前記下顎支持部は前方に回動不能となることが好ましい。【０００８】
前記下溝の内面は、前面と、後面と、側面とを備え、前記上溝と前記下溝とが一直線上に略並んだときの前記上溝と前記下溝との間の隙間の長さをＴＬ、前記上溝の長さをＵＬ、前記下溝の長さをＤＬ、前記幅広部の長さをＬＬ、前記幅狭部の長さをＳＬ、としたときに、ＬＬ＜ＵＬ＋ＴＬ＜ＳＬ+ＬＬ、かつ、ＳＬ＜ＵＬ＋ＴＬ＋ＤＬの関係を満たし、左右に設けられた前記幅狭部の外縁間距離をＳＷ、左右に設けられた前記下溝の後面の内縁間距離をＤＷＩ、左右に設けられた前記幅広部の外縁間距離をＬＷ、左右に設けられた前記下溝の側面間の距離をＤＷＯとしたときに、ＳＷ＜ＤＷＩ＜ＬＷ＜ＤＷＯの関係を満たし、左右に設けられた前記上溝の後面の内縁間距離をＵＷＩ、左右に設けられた前記上溝の側面間の距離をＵＷＯとしたときに、ＵＷＩ＜ＳＷ＜ＬＷ＜ＵＷＯの関係を満たすことが好ましい。【０００９】
前記上顎支持部は、前記上顎模型に固定される上顎固定部と、前記上顎固定部の左右の両端から後方に延びる一対の上顎後方延出部と、前記一対の上顎後方延出部の後端を連結する上連結部と、前記上連結部の左右の両端のそれぞれに設けられた顆頭部と、前記下顎支持部は、前記下顎模型に固定される下顎固定部と、前記下顎固定部から後方に延びる一対の下顎後方延出部と、前記一対の下顎後方延出部の後端を連結する下連結部と、前記下連結部の左右の両端のそれぞれに設けられ、前記顆頭部を、前記軸線を中心として回転可能に支持する顆路部と、を備え、前記上連結部に、前記上側凹部が設けられ、前記下連結部に、前記下側凹部が設けられていることが好ましい。【００１０】
前記上顎支持部は、前記軸線の径方向外側に突出した第１係合部及び第２係合部、を備え、前記下顎支持部は、前記下顎後方延出部に設けられ、前記上顎支持部と前記下顎支持部との間の角度が第１角度である第１状態では、前記１係合部と第２係合部の前方に位置し、前記上顎支持部と前記下顎支持部との間の角度が前記第１角度より大きな第２角度である第２状態では、前記１係合部と第２係合部の間に位置し、前記上顎支持部と前記下顎支持部との間の角度が前記第２角度より大きな第３角度である第３の状態では、前記１係合部と第２係合部の後方に位置する係合受部とを備えることが好ましい。【００１１】
前記上顎支持部に設けられた、下向面を有するストッパ部と、前記下顎支持部に設けられ、前記第１状態で前記下向面と当接する上向面を有するストッパ受部とを備えることが好ましい。【００１２】
前記顆路部は、前記下顎後方延出部の後側から後側に延びる上壁部と下壁部とを有し且つ断面Ｕ字型で、前記顆頭部は、前記顆路部の前記上壁部と前記下壁部との間の前側に回転可能に保持され、前記上壁部と前記下壁部との間の距離は前側から後側に行くに従い狭くなり、前記顆頭部は、前記第１係合部又は前記第２係合部が前記係合受部を乗り越える際に、前記上壁部と前記下壁部とを弾性変形させて、前記上壁部と前記下壁部との間を前記前側から前記後側に移動することが好ましい。【００１３】
前記第２係合部の先端の、前記軸線からの径方向の距離は、前記第１係合部の先端の、前記軸線からの径方向の距離よりも大きいことが好ましい。【００１４】
前記顆頭部は、前記上顎後方延出部の後側から、左右方向に突出していることが好ましい。【００１５】
前記上顎固定部における、前記上顎模型に設けられたボルト穴にボルトを挿入するための第１模型取付用穴、又は、前記下顎固定部における、前記下顎模型に設けられたボルト穴にボルトを挿入するための第２模型取付用穴の少なくとも一方はＵ字型であることが好ましい。【００１６】
前記上顎支持部及び前記下顎支持部は、それぞれ、一体成形された樹脂製部材であることが好ましい。
【発明の効果】
【００１７】
本発明は、支持軸体の端部以外の箇所において支持軸体への着脱可能な咬合器を提供することができる。
【図面の簡単な説明】
【００１８】
【図１】本発明の実施形態に係る咬合器を示す斜視図である。
【図２】咬合器の分解斜視図である。
【図３】咬合器の背面図である。
【図４】咬合器の側面図であり上顎支持部と下顎支持部とを閉じた状態を示す図で、（Ａ）は全体図、（Ｂ）は関節部の拡大図である。
【図５】支持軸体固定部材の本体部の後面図である。
【図６】（Ａ）は、支持軸体固定部材を、下溝の側から上溝１７に向って幅狭部の側から挿入する状態を説明する図で、（Ｂ）は、支持軸体固定部材を、下溝の側から上溝１７に向って幅広部の側から挿入する状態を説明する図である。
【図７】（Ａ）は、支持軸体固定部材を、下溝の側から上溝に向って幅狭部の側から挿入した状態、（Ｂ）は、支持軸体固定部材を、下溝の側から上溝に向って幅広部の側から挿入した状態を示す図である。
【図８】下溝と幅広部と幅狭部との幅の関係を説明する図である。
【図９】上溝と幅広部と幅狭部との幅の関係を説明する図である。
【図１０】実施形態に係る咬合器の側面図であり上顎支持部と下顎支持部との間の角度θが、θ２の場合を示す図で、（Ａ）は全体図、（Ｂ）は関節部の拡大図である。
【図１１】実施形態に係る咬合器の側面図であり上顎支持部と下顎支持部との間の角度θが、θ３の場合を示す図で、（Ａ）は全体図、（Ｂ）は関節部の拡大図である。
【図１２】実施形態に係る咬合器の側面図であり上顎支持部と下顎支持部との間の角度θが、θ４の場合を示す図で、（Ａ）は全体図、（Ｂ）は関節部の拡大図である。
【図１３】咬合器への、支持軸体の取り付けを説明する図である。
【図１４】支持軸体固定部材に対する咬合器の状態を示した図である。
【発明を実施するための形態】
【００１９】
以下、本発明の実施形態の咬合器１について、図面を参照しながら説明する。図１は本発明の実施形態に係る咬合器１が支持軸体７０に取り付けられた状態を示す斜視図である。図２は咬合器１から支持軸体固定部材８０を取り外した状態の分解斜視図である。図３は咬合器１から支持軸体固定部材８０を取り外した状態の背面図である。図４は咬合器１から支持軸体固定部材８０を取り外し、且つ、上顎支持部１０と下顎支持部２０とが閉じた状態を示す図で、（Ａ）は全体図、（Ｂ）は関節部の拡大図である。
【００２０】
咬合器１は、上顎模型４０と、上顎模型４０を支持する上顎支持部１０と、下顎模型５０と、下顎模型５０を支持する下顎支持部２０と、上顎支持部１０及び下顎支持部２０を支持軸体７０に固定するための支持軸体固定部材８０とを備える。
上顎支持部１０と下顎支持部２０との後側は、左右に延びる軸線Ａを中心として関節部３０において回転可能に連結されている。
【００２１】
なお、以下の説明においては、咬合器１に固定される上顎模型４０及び下顎模型５０の前歯が配置される側を前方として、前後、左右及び上下方向を規定している。
また、左右対称に一対で設けられ、図中左右両方が示されているものには、図中、符号の最後に、右側を示すＲ又は左側を示すＬを付す。なお以下の説明において、特に左右を区別して説明する必要がない限り、右側を示すＲ又は左側を示すＬを付さずにまとめて説明する。
【００２２】
（上顎支持部１０）
上顎支持部１０は、硬質の合成樹脂により一体成形されており、上顎模型４０が固定される板状の上顎固定部１１と、上顎固定部１１から後方に延びる一対の上顎後方延出部１２と、一対の上顎後方延出部１２同士を連結する上連結部１３とを備える。
【００２３】
（上顎固定部１１）
上顎固定部１１は、横長の矩形板状である。上顎模型４０には左右対称に２つのボルト穴（図示せず）が設けられている。上顎固定部１１には、上顎模型４０に設けられたボルト穴にボルトを挿入するための２つの上模型取付用穴１１１ａが設けられている。
上顎固定部１１の２つの上模型取付用穴１１１ａは、それぞれ、下方に開口したＵ字型である。
【００２４】
（上顎後方延出部１２）
一対の上顎後方延出部１２は、上顎固定部１１の後面における長手方向の一端側及び他端側から後方に延びる。一対の上顎後方延出部１２は、図４に示すように、上顎固定部１１に固定された上顎模型４０を水平に位置させた状態で、斜め下後方に向かって延びている。
【００２５】
（上連結部１３）
上連結部１３は、一対の上顎後方延出部１２の後側を連結する部分で、一対の上顎後方延出部１２の後側のそれぞれに設けられた一対の後円柱部１４と、後円柱部１４同士を連結する上側凹部１５と、後円柱部１４から左右に延びる球状の一対の顆頭部３１と、上側凹部１５の前方に延びるストッパ１９と、を備える。
【００２６】
（第１係合部６１、第２係合部６２、第３係合部６３）
左側の後円柱部１４Ｌの左側の下部には、後円柱部１４Ｌの軸線でもある軸線Ａの径方向外側に突出する第１係合部６１Ｌ、第２係合部６２Ｌ、第３係合部６３Ｌが設けられている。右側の後円柱部１４Ｒの右側の下部にも同様に、後円柱部１４Ｒの軸線でもある軸線Ａの径方向外側に突出する３つの第１係合部６１Ｒ、第２係合部６２Ｒ、第３係合部６３Ｒが設けられている。
図４のように、上顎模型４０と下顎模型５０とが閉じた状態（両方に取り付けられた歯が接触している状態）で、第１係合部６１及び第２係合部６２は、後円柱部１４の下部、第３係合部６３は後円柱部１４の上部に設けられている。
また、第２係合部６２の先端の軸線Ａからの径方向の距離は、第１係合部６１の先端の軸線Ａからの径方向の距離よりも大きい。
【００２７】
（上側凹部１５）
図２に最も分かりやすく示すように、上側凹部１５は、後円柱部１４Ｒと後円柱部１４Ｌとを連結し、外面（前面）が前方に突出し、内面（後面）が前方に窪んだＵ字型である。上側凹部１５の内面における、互いに対向する左右の部分には、上下に延び且つ上端が貫通せず下端が貫通した、上溝１７が設けられている。
【００２８】
（顆頭部３１）
顆頭部３１は、関節部３０の一部である。顆頭部３１は、後円柱部１４から左右に延びる球状部材で、右側の顆頭部３１Ｒは、右側の上顎後方延出部１２の後部に設けられた後円柱部１４から右側に突出し、左側の顆頭部３１Ｌは、左側の上顎後方延出部１２の後部に設けられた後円柱部１４から左側に突出している。
【００２９】
（ストッパ１９）
ストッパ１９（図４に図示）は、上側凹部１５から前方に向って突出して延びており。下向面１９ａを有している。
【００３０】
（下顎支持部２０）
下顎支持部２０は、硬質の合成樹脂により一体成形されており、下顎模型５０が固定される板状の下顎固定部２１と、下顎固定部２１から後方に延びる一対の下顎後方延出部２２と、一対の下顎後方延出部２２同士を連結する下連結部２３とを備える。
【００３１】
（下顎固定部２１）
下顎固定部２１は、横長の矩形板状である。下顎模型５０には左右対称に２つのボルト穴（図示せず）が設けられている。下顎固定部２１には、下顎模型５０に設けられたボルト穴にボルトを挿入するための２つの下模型取付用穴２１１ａが設けられている。
下顎固定部２１の２つの下模型取付用穴２１１ａは、それぞれ、上方に開口したＵ字型である。
【００３２】
（下顎後方延出部２２）
一対の下顎後方延出部２２は、下顎固定部２１の後面における長手方向の一端側及び他端側から後方に延びる。一対の下顎後方延出部２２は、下顎固定部２１に固定された下顎模型５０を水平に位置させた状態で、斜め上後方に向かって延びている。
【００３３】
（下連結部２３）
下連結部２３は、一対の下顎後方延出部２２の後側を連結する部分で、顆路部３２よりもやや下方において左右に延びている。下連結部２３は、一対の下顎後方延出部２２側の係合受部３３と、両側の係合受部３３の間に設けられた下側凹部３５と、を備える。
【００３４】
（顆路部３２）
顆路部３２は、関節部３０の一部でもあり、一対の下顎後方延出部２２の後側のそれぞれに設けられた一対の部材で、下顎後方延出部２２の後側に設けられるＵ字型部材であり、側面視において後側が斜め後上方に向けて延びる上壁部３２ａと下壁部３２ｂとを備え、斜め後上方に向けて開放された略Ｕ字型である。
顆路部３２の基端側（前側）の内面は、顆頭部３１の形状に対応した凹曲面部となっている。
【００３５】
顆路部３２の上壁部３２ａと下壁部３２ｂとの間隔は、顆頭部３１の径ｒから、後側に向うにつれて徐々に狭くなっている。
上壁部３２ａと下壁部３２ｂの対向面の後側には、それぞれ、内側に突出するように上部突部３６ａと下部突部３６ｂとが設けられている。上部突部３６ａと下部突部３６ｂとの間隔ｗは、顆頭部３１の径ｒより小さく、ｗ＜ｒである。
顆路部３２が顆頭部３１を前側（基端側）に保持することで、下顎支持部２０は、軸線Ａを中心として上顎支持部１０に対して回動可能に支持される。
【００３６】
（係合受部３３）
一対の係合受部３３は、上述のように一対の下顎後方延出部２２における互いに対向する側面の顆路部３２よりもやや下方に設けられ、軸線Ａと直交する断面は略矩形である。
【００３７】
（下側凹部３５）
下側凹部３５は、一対の係合受部３３の間に設けられたＵ字型部材であり、上側凹部１５と略同様に外面は前方に突出し、内面は前方に窪んでいる。
下側凹部３５の内面における、互いに対向する左右の部分には、上下に延び且つ上端及び下端が貫通している下溝３４が形成されている。下溝３４は、下顎支持部２０が上顎支持部１０に対して所定角度の場合に、上溝１７と同一直線上に並ぶ。
【００３８】
（ストッパ受部２４）
下側凹部３５の前側は、ストッパ受部３５ａとなっており、その上向面３５ａａは図４に示す上顎支持部と下顎支持部とを閉じた状態（閉状態）において、ストッパ１９の下向面１９ａと当接する。
【００３９】
（支持軸体固定部材８０）
図１に示す支持軸体固定部材８０は、前後に延びるねじ穴８１ａが設けられた本体部８１と、ねじ穴８１ａに螺合するねじ部材８２と備える。図５は、支持軸体固定部材８０を示す図で、（Ａ）は前後方向の一方から見た図、（Ｂ）は背面図、（Ｃ）は前後方向の他方から見た図である。
支持軸体固定部材８０の本体部８１は、左右方向のそれぞれに設けられた、幅広部８４と、幅広部８４から連続して上下方向に延びる幅狭部８５とを有する。
ねじ部材８２は、ねじ穴８１ａに螺合されるねじ部８２ａと、ねじ部８２ａの後端に設けられたねじ回し部８２ｂと、を備える。
【００４０】
図６（Ａ）は、支持軸体固定部材８０を、下溝３４の側から上溝１７に向って幅狭部８５の側から挿入する状態を説明する図で、図６（Ｂ）は、支持軸体固定部材８０を、下溝３４の側から上溝１７に向って幅広部８４の側から挿入する状態を説明する図である。
図７は、支持軸体固定部材８０の幅広部８４と幅狭部８５との長さ(上下方向の長さ）を説明する図であり、（Ａ）は、支持軸体固定部材８０を、下溝３４の側から上溝１７に向って幅狭部８５の側から挿入した状態、（Ｂ）は、支持軸体固定部材８０を、下溝３４の側から上溝１７に向って幅広部８４の側から挿入した状態である。なお、図７は、（Ａ）、（Ｂ）ともに上溝１７と下溝３４とは、略一直線上に並んでいる状態である。
【００４１】
図示するように、上溝１７と下溝３４とが一直線上に略並んだときに、上溝１７と下溝３４との間には隙間Ｔがあり、この隙間の長さをＴＬとする。上溝１７の長さをＵＬ、下溝３４の長さをＤＬ、幅広部８４の長さをＬＬ、幅狭部８５の長さをＳＬとすると、実施形態において、以下の関係がある。
ＬＬ＜ＵＬ＋ＴＬ＜ＳＬ+ＬＬ、かつ、ＳＬ＜ＵＬ＋ＴＬ＋ＤＬ
・・・（１）
なお、これに限定されないが、実施形態では、ＳＬ＜ＵＬ、ＬＬ＞ＳＬ、ＬＬ≒ＵＬの関係がある。
【００４２】
図８は下溝３４と、幅広部８４と幅狭部８５との幅の関係を説明する図である。図９は、上溝１７と幅広部８４と幅狭部８５との幅の関係を説明する図である。
【００４３】
（下溝３４）
下溝３４の内面は、前面３４ｆと、後面３４ｂと、側面３４ｓとを備える。
左右に設けられた幅狭部８５の外縁間距離ＳＷは、左右に設けられた下溝３４の後面の内縁間距離ＤＷＩより短い。
左右に設けられた幅広部８４の外縁間距離ＬＷは、左右に設けられた下溝３４の後面の内縁間距離ＤＷＩより長い。
すなわち、左右に設けられた下溝３４の側面間の距離ＤＷＯとすると、以下の関係がある。
ＳＷ＜ＤＷＩ＜ＬＷ＜ＤＷＯ・・（２）
【００４４】
（上溝１７）
前記上溝１７の内面は、前面１７ｆと、後面１７ｂと、側面１７ｓとを備える。
左右に設けられた幅狭部８５の外縁間距離ＳＷは、左右に設けられた上溝１７の後面の内縁間距離ＵＷＩより長い。
左右に設けられた幅広部８４の外縁間距離ＬＷは、左右に設けられた上溝１７の後面の内縁間の距離ＵＷＩより長い。
すなわち、左右に設けられた上溝１７の側面間の距離ＵＷＯとすると、以下の関係がある。以下の関係がある。
ＵＷＩ＜ＳＷ＜ＬＷ＜ＵＷＯ・・（３）
【００４５】
（固定状態）
以上の関係より、下溝３４の側から上溝１７に向って幅狭部８５の側から挿入した図７（Ａ）の場合、幅狭部８５の下にある幅広部８４は、上溝１７と下溝３４とに係合する。したがって、幅広部８４によって、上溝１７が設けられた上顎支持部は移動が規制されるとともに、下溝３４が設けられた下顎支持部２０も移動が規制される固定状態となる。
【００４６】
（回動状態）
一方、下溝３４の側から上溝１７に向って幅広部８４の側から挿入した図７（Ｂ）の場合、幅広部８４は、上溝１７と係合する。したがって、上溝１７が設けられた上顎支持部は移動が規制される。しかし、下溝３４に対応する位置にある幅狭部８５の背面には、下溝３４の後面３４ｂに覆われていないので、下溝３４が設けられた下顎支持部２０は前方に回動可能となる。
【００４７】
次に、咬合器１の組立手順について説明する。
（上顎模型４０の上顎固定部１１への固定）
上顎模型４０の後面に上顎固定部１１を配置し、上顎模型４０の一対のボルト孔（図示せず）と、上顎固定部１１の一対の上模型取付用穴１１１ａとの位置合わせを行う。
上顎固定部１１の一対の上模型取付用穴１１１ａから、上顎模型４０のボルト孔にボルト１１１を螺合することにより、上顎模型４０を上顎固定部１１の前面に固定する。
【００４８】
（下顎模型５０の下顎固定部２１への固定）
また下顎模型５０の後面に、下顎固定部２１を配置し、下顎模型５０の一対のボルト孔（図示せず）と、下顎固定部２１の一対の下模型取付用穴２１１ａとの位置合わせを行う。
下顎固定部２１の一対の下模型取付用穴２１１ａから、下顎模型５０のボルト孔（図示せず）にボルト２１１を螺合することにより、下顎模型５０を下顎固定部２１の前面に固定する。
【００４９】
このとき、上顎固定部１１の上模型取付用穴１１１ａ及び下顎固定部２１の下模型取付用穴２１１ａはＵ字型であるので、上顎模型４０のボルト孔及び下顎模型５０のボルト孔と位置合わしやすい。
【００５０】
また、上顎模型４０と上顎支持部１０とを分離、または下顎模型５０と下顎支持部２０とを分離する場合、上顎固定部１１及び下顎固定部２１の上模型取付用穴１１１ａ、下模型取付用穴２１１ａはＵ字型であるので、上顎模型４０及び下顎模型５０からボルト１１１、２１１を完全に取り外さなくても緩めただけで分離可能である。ゆえに、上顎支持部１０に異なる上顎模型４０を装着、下顎支持部２０に異なる下顎模型５０の装着を容易に行うことができる。
【００５１】
上顎固定部１１の上模型取付用穴１１１ａは下方に開口したＵ字型であるので、まず、上顎模型４０のボルト穴にボルト１１１を挿入し、上顎模型４０の後面とボルト頭との間に隙間が空いた状態に保つ。次いで、その隙間に上方から上顎固定部１１を差し込む。そしてボルト１１１をさらに螺合することにより上顎模型４０に上顎支持部１０を取り付けることができる。
このようにすることで、上顎模型４０への上顎固定部１１の取り付けを容易に行うことができる。
【００５２】
また、下顎固定部２１の下模型取付用穴２１１ａも上方に開口したＵ字型であるので、まず、下顎模型５０のボルト穴にボルト２１１を挿入し、下顎模型５０の後面とボルト頭との間に隙間が空いた状態に保つ。次いで、その隙間に下方から下顎模型５０を差し込む。そしてボルト２１１をさらに螺合することにより、下顎模型５０への下顎固定部２１の取付を容易に行うことができる。
【００５３】
（顆頭部３１の顆路部３２への取付）
次に、一対の顆頭部３１を、一対の顆路部３２にそれぞれ取り付ける。
具体的には、Ｕ字型の顆路部３２の上部突部３６ａと下部突部３６ｂとの間の後側から、顆頭部３１を挿入する。このとき、上部突部３６ａと下部突部３６ｂとの間隔ｗは、顆頭部３１の径ｒより小さいので、顆頭部３１を上部突部３６ａと下部突部３６ｂとの間に挿入する際、上壁部３２ａと下壁部３２ｂとが弾性変形して互いの間隔が開き、顆頭部３１が上部突部３６ａ及び下部突部３６ｂを乗り越えて、Ｕ字型の内部に挿入される。
【００５４】
そして、顆頭部３１が顆路部３２のＵ字型の底部（基端側、前側）のほうに移動すると、上壁部３２ａと下壁部３２ｂとは、弾性変形から元に戻り、上部突部３６ａと下部突部３６ｂとの間隔ｗが、顆頭部３１の径ｒより小さい状態に戻る。これにより、顆頭部３１は、外力を加えない限り外れなくなる。
【００５５】
これにより、顆頭部３１と顆路部３２とで関節部３０が構成され、顆頭部３１は、顆路部３２のＵ字型の底部（基端側、前側）において回転可能に保持される。そして、上顎支持部１０と下顎支持部２０との後側は、左右に延びる軸線Ａを中心として関節部３０において回転可能に連結される。
【００５６】
（第１状態）
図４に示す上顎支持部１０と下顎支持部２０とが閉じた第１状態（上顎支持部１０と下顎支持部２０との間の角度θがθ１）は、上顎模型４０と下顎模型５０と有歯顎の場合の正常な咬合位置である。
このとき、後円柱部１４の下部に設けられた軸Ａから径方向外側に突出する第１係合部６１及び第２係合部６２は、断面矩形の係合受部３３の後方に位置している。
上顎支持部１０と下顎支持部２０とが互いに開く方向（θがθ１より大きくなる方向，図４（Ｂ）の矢印Ｘ１方向）に移動すると、第１係合部６１は係合受部３３と当接する。
さらに上顎支持部１０と下顎支持部２０とが互いに開く方向に移動させるには、第１係合部６１が係合受部３３を乗り越える必要があり、このとき、顆頭部３１は上壁部３２ａと下壁部３２ｂとを弾性変形させて矢印Ｘ２で示すＵ字の隙間を後方に移動する。
したがって、例えば、操作者が意図的に力を加えて開かない限り、上顎支持部１０と下顎支持部２０とが開いてしまうことがない。
【００５７】
また、図４に示す第１状態（有歯顎である正常な咬合位置）において、ストッパ１９の下向面１９ａとストッパ受部３５ａの上向面３５ａａとは当接している。したがって、上顎支持部１０と下顎支持部２０（上顎模型４０と下顎模型５０）とはこれ以上近接しない。ゆえに、例えば、上顎模型４０と下顎模型５０とのうちの少なくとも一方が無歯顎の場合であっても、図４に示す有歯顎の場合の正常な咬合位置に保持することができる。
【００５８】
（第２状態）
図１０は咬合器１の側面図であり上顎支持部１０と下顎支持部２０との間の角度θが、θ１よりも大きい第２角度であるθ２の場合を示す図で、（Ａ）は全体図、（Ｂ）は関節部の拡大図である。
図４で示す状態から操作者が意図的に力を加えると、顆頭部３１は上壁部３２ａと下壁部３２ｂとを弾性変形させてＵ字の隙間の後方に移動し、第１係合部６１が係合受部３３の角部を乗り越えて、図１０に示す状態となる。
【００５９】
このとき、第１係合部６１と第２係合部６２との間に、係合受部３３の後上の角部が位置する。顆頭部３１はＵ字の隙間の底部（基端側、前側）と完全に当接しておらず、上壁部３２ａと下壁部３２ｂとは、わずかに弾性変形している状態である。したがって上壁部３２ａと下壁部３２ｂとのもとに戻ろうとする力によって、顆頭部３１は図中矢印Ｘ３方向に押されている。
したがって、第１係合部６１は係合受部３３側に押圧され、上顎支持部１０と下顎支持部２０とは、図１０の位置に固定された状態となる。
【００６０】
（第３状態）
図１１は、咬合器１の側面図であり上顎支持部１０と下顎支持部２０との間の角度θが、θ２よりも大きいθ３の場合を示す図で、（Ａ）は全体図、（Ｂ）は関節部の拡大図である。
図１０で示す状態から操作者が意図的に力を加えると、顆頭部３１は上壁部３２ａと下壁部３２ｂとを弾性変形させてＵ字の隙間の後方に移動し、第２係合部６２が係合受部３３の角部を乗り越え、図１１で示す状態となる。
なお、第２係合部６２の先端の軸線Ａからの径方向距離ｙ２（図４（ｂ）に示す）は、第１係合部６１の先端の顆頭部３１中心からの径方向距離ｙ１（図４（ｂ）に示す）よりも大きいので、図４の第１状態から図１０の第２状態に移る場合よりも、第２状態から第３状態に移る場合のほうが、力が必要となる。
【００６１】
図１１の状態では、上顎模型４０は自重によって、角度θを小さくする方向に力が加わっている。しかし第２係合部６２の後辺は係合受部３３の上面と当接している。上顎模型４０の自重程度の力では顆頭部３１が上壁部３２ａと下壁部３２ｂとを弾性変形させてＵ字の隙間の後方に移動させることができず、上顎支持部１０と下顎支持部２０とは、図１１の位置に保持される。
【００６２】
（第４状態）
図１２は、咬合器１の側面図であり上顎支持部１０と下顎支持部２０との間の角度θが、θ３よりも大きい第４角度θ４の場合を示す図で、（Ａ）は全体図、（Ｂ）は関節部の拡大図である。
図１１の状態から操作者が、上顎支持部１０を下顎支持部２０に対して間の角度θが大きくなるように回転させると、第４角度θ４になったとき、第３係合部６３が係合受部３３の後角部に当接してそれ以上回転しなくなる。
【００６３】
このように、上顎支持部１０と下顎支持部２０との間を第１状態θ１、第２状態θ２、第３状態θ３、第４状態θ４で保持できるので、用途に応じた位置で上顎支持部１０と下顎支持部２０との間の角度を保持可能であり、義歯や歯科補綴物を製作する場合等に、作業しやすい。
【００６４】
図１３は、咬合器１への、支持軸体７０の取り付けを方法を説明する図である。
（支持軸体７０）
支持軸体７０は、円柱状で、円周の一部に長手方向に沿って平坦部７１が設けられている。平坦部７１には、ねじ挿入用穴７２が設けられている。
支持軸体７０の円周のカーブは、上側凹部１５と下側凹部３５（図１３には図示せず）の内面（後面）のカーブと略一致している。
支持軸体７０を、上顎支持部１０と下顎支持部２０との後部に設けられた上側凹部１５と下側凹部３５との内面に当接させて上顎支持部１０と下顎支持部２０とを一定の角度θ５とすると、上溝１７と下溝３４とは一直線上に並ぶ。この一直線上になった上溝１７と下溝３４とに、図６（Ａ）又は(Ｂ)のいずれかの状態で、本体部８１の幅広部８４及び幅狭部８５が挿入されるようにして、本体部を取り付ける。
そして、ねじ部８２ａの先端が、ねじ挿入用穴７２に挿入された状態で、ねじ回し部８２ｂを回転すると、ねじ部８２ａの先端が、ねじ挿入用穴７２に挿入されて、咬合器１が支持軸体７０の所定位置に保持される。
【００６５】
一般的に、咬合器を保持する支持軸体は、下端が固定台に立設され、上端にはヘッド部が取り付けられている。また、本実施形態と異なる一般的な咬合器は、後部に上下に延びる貫通孔が設けられている。そして、支持軸体を咬合器に着脱する際、支持軸体からヘッド部を取り外し、支持軸体の上端から咬合器の貫通孔を差し込み、咬合器を適切な水平位置にスライドさせている。したがって、支持軸体への咬合器の着脱の際、支持軸体からヘッド部を取り外さなくてはならない。
【００６６】
しかし、本実施形態では、まず、支持軸体固定部材８０を上溝１７と下溝３４とから取り外す。そして、支持軸体７０を、支持軸体７０の軸と直交する水平方向後側（上顎模型４０及び下顎模型５０と逆側）に相対移動し、窪み部である上側凹部１５と下側凹部３５とから移動させる。これにより、支持軸体７０から図示しないヘッド部や固定台を取り外すことなく、支持軸体７０から咬合器１に対して着脱することができる。したがって着脱が容易である。
【００６７】
そして、上述したように、図６（Ａ）に示すように、下溝３４の側から上溝１７に向って幅狭部８５の側から挿入すると、図７（Ａ）の状態となる。この場合、幅狭部８５の下にある幅広部８４は、上溝１７と下溝３４とに係合する。したがって、幅広部８４によって、上溝１７が設けられた上顎支持部１０は移動が規制されるとともに、下溝３４が設けられた下顎支持部２０も移動が規制される固定状態となる。
図６（Ｂ）に示すように、下溝３４の側から上溝１７に向って幅広部８４の側から挿入すると図７（Ｂ）の状態となる。この場合、幅広部８４は、上溝１７と係合する。したがって、上溝１７が設けられた上顎支持部１０は移動が規制される。しかし、下溝３４に対応する位置にある幅狭部８５の背面には、下溝３４の後面３４ｂに覆われていないので、下溝３４が設けられた下顎支持部２０は前方に回動可能となる。
したがって、使用者の用途によって、支持軸体固定部材８０の下溝３４及び上溝１７への挿入方向を変えることにより、支持軸体７０に対して保持された状態において、下顎支持部２０を固定するか回動可能とするかを選択することができる。
【００６８】
図１４は、支持軸体固定部材８０を緩めた場合の咬合器１の状態を示した図である。実施形態によると、上溝１７は上端が開口していない。したがって、図示するように上溝１７の上端壁１７ａは、本体部８１の幅広部８４(向きによっては幅狭部８５）の上端と当接して支持されている。このため、ねじ回し部８２ｂを回転して支持軸体固定部材８０を緩めると、咬合器１には重力により下方に力が加わるが、作業者がねじ回し部８２ｂを保持している限り、咬合器１の落下が防止される。
【００６９】
以上、本発明の咬合器１の好ましい各実施形態について説明したが、本発明は上述した実施形態に制限されることなく、種々の形態で実施することができる。
【００７０】
例えば、実施形態では、上顎支持部１０に顆頭部３１を設け、下顎支持部２０に顆路部３２を設けたが、これに限らない。即ち、上顎支持部に顆路部を設け、下顎支持部に突出部を設けてもよい。
【００７１】
また、実施形態では、顆頭部３１を球状に構成したが、これに限らず、例えば円柱状に構成してもよい。
【００７２】
本発明は、教育実習及び指導に用いられる実習用の咬合器、及び義歯や歯科補綴物を製作する場合に用いられる技工用の咬合器に好適に用いることができる。
【符号の説明】
【００７３】
１    咬合器
１０    上顎支持部
１１    上顎固定部
１２    上顎後方延出部
１３    上連結部
１４    後円柱部
１４Ｌ    後円柱部
１４Ｒ    後円柱部
１５    上側凹部
１７    上溝
１７ａ    上端壁
１９    ストッパ
１９ａ    下向面
２０    下顎支持部
２１    下顎固定部
２２    下顎後方延出部
２３    下連結部
２４    ストッパ受部
３０    関節部
３１    顆頭部
３１Ｌ    顆頭部
３１Ｒ    顆頭部
３２    顆路部
３２ａ    上壁部
３２ｂ    下壁部
３３    係合受部
３４    下溝
３４ｂ    後面
３４ｆ    前面
３４ｓ    側面
３５    下側凹部
３５ａ    ストッパ受部
３５ａａ    上向面
３６ａ    上部突部
３６ｂ    下部突部
４０    上顎模型
５０    下顎模型
６１    第１係合部
６１Ｌ    第１係合部
６１Ｒ    第１係合部
６２    第２係合部
６２Ｌ    第２係合部
６２Ｒ    第２係合部
６３    第３係合部
６３Ｌ    第３係合部
６３Ｒ    第３係合部
７０    支持軸体
７１    平坦部
７２    挿入用穴
８０    支持軸体固定部材
８１    本体部
８１ａ    ねじ穴
８２    ねじ部材
８２ａ    ねじ部
８２ｂ    ねじ回し部
８４    幅広部
８５    幅狭部
１１１    ボルト
１１１ａ    上模型取付用穴
２１１    ボルト
２１１ａ    下模型取付用穴
【図１】
0006951808.tif 000002
【図２】
0006951808.tif 000003
【図３】
0006951808.tif 000004
【図４】
0006951808.tif 000005
【図５】
0006951808.tif 000006
【図６】
0006951808.tif 000007
【図７】
0006951808.tif 000008
【図８】
0006951808.tif 000009
【図９】
0006951808.tif 000010
【図１０】
0006951808.tif 000011
【図１１】
0006951808.tif 000012
【図１２】
0006951808.tif 000013
【図１３】
0006951808.tif 000014
【図１４】
0006951808.tif 000015